【手続補正書】
【提出日】平成20年4月22日(2008.4.22)
【手続補正１】
【補正対象書類名】明細書
【補正対象項目名】特許請求の範囲
【補正方法】変更
【補正の内容】
【特許請求の範囲】
【請求項１】  便器と、前記便器に便器洗浄水を供給する便器洗浄水給水路と、前記便器洗浄水給水路に配設され洗浄水を供給する洗浄水供給手段と、前記便器洗浄水給水路に配設され電気分解により殺菌性金属イオンの溶出を行う電解手段と、前記電解手段に供給する電力を制御する電解電力供給手段と、前記洗浄水供給手段と前記電解電力供給手段を制御する制御手段と、前記電解手段及び洗浄水供給手段を同時に駆動させる電解水洗浄動作とを備えた便器洗浄装置において、前記電解手段への印加電圧を測定する電圧測定手段とを備えるとともに、前記制御手段は前記電解電力供給手段へ予め定められた第一の所定電流を供給し前記電圧測定手段の検出電圧により洗浄水の電気伝導度を演算し、前記電気伝導度に基づいて洗浄水に適切な金属イオン濃度を供給できる目標電流を決定する場合、前記第一の所定電流は、前記目標電流の下限値より小さく設定して、電解洗浄動作することを特徴とする便器洗浄装置。
【請求項２】  請求項１記載の便器洗浄装置において、前記制御手段は、前記第一の所定電流を供給し、前記電圧測定手段より検出された電圧が第一の所定電圧に対応する値より低い場合は、引き続いて前記第一の所定電流よりも大きく設定された第二の所定電流を供給して、前記目標電流を決定して、前記目標電流にて電解洗浄動作することを特徴とする便器洗浄装置。
【請求項３】  請求項２記載の便器洗浄装置において、前記制御手段は、前記第一の所定電流を供給し、前記電圧測定手段より検出された電圧が前記第二の所定電圧に対応する値より高い場合は、前記電解手段の開放異常と判断し、前記目標電流を前記電解電力供給手段より供給される電流値の下限値に設定することを特徴とする便器洗浄装置。
【請求項４】  請求項２又は３記載の便器洗浄装置において、前記電圧測定手段は切替可能な複数の増幅係数を有するとともに、前記制御手段は、前記第二の所定電流を供給し、前記電圧測定手段より検出された電圧が、電気伝導度が中間の水の領域である所定電圧に対応する値より低い場合は、前記増幅係数を大きく設定し、洗浄水の電気伝導度を演算し前記目標電流を決定して、前記目標電流に設定して電解洗浄動作することを特徴とする便器洗浄装置。
【請求項５】  請求項４記載の便器洗浄装置において、前記制御手段は、前記電圧測定手段より検出された電圧が電気伝導度の大きな再処理水の領域である所定電圧に対応する値より低い場合は、前記電解手段の短絡異常として判断し、前記電解電力供給手段の駆動を停止させるとともに、前記電解水洗浄を中止することを特徴とする便器洗浄装置。
【請求項６】  請求項５記載の便器洗浄装置において、前記制御手段は、前記電解水洗浄の代わりに、前記洗浄水供給手段のみを駆動する非電解水洗浄を行う機能を備えたことを特徴とする便器洗浄装置。
【請求項７】  請求項１乃至６のいづれか一つに記載の便器洗浄装置において、前記制御手段は、前記電気伝導度に基づいて求めた目標電流が、電気伝導度が高い水の場合に設定された上限値より大きい場合、前記目標電流値を前記上限値とすることを特徴とする便器洗浄装置。
【請求項８】  請求項１乃至７のいづれか一つに記載の便器洗浄装置において、前記制御手段は、前記目標電流値と前記電流測定手段からの検出電流値との偏差が零となるように比例・積分補正演算または比例・積分・微分補正演算を行い、前記演算結果に従って前記電解電力供給手段を制御することを特徴とする便器洗浄装置。
【請求項９】  請求項３乃至８のいづれか一つに記載の便器洗浄装置において、前記制御手段は、異常を表示する表示手段を備えるとともに、前記電解手段の前記開放異常もしくは短絡異常を検出した場合、前記表示手段にその旨を表示することを特徴とする便器洗浄装置。
【請求項１０】  請求項１乃至９のいづれか一つに記載の便器洗浄装置において、前記制御手段は、前記電解水洗浄動作を行う直前に前記非電解水洗浄動作を行う電解予備洗浄機能を備え、前記制御手段は、前記電解予備洗浄動作中に前記電解水洗浄時に前記電解手段に供給する目標電流を決定することを特徴とする便器洗浄装置。
【請求項１１】  請求項１乃至１０のいづれか一つに記載の便器洗浄装置において、前記第一の所定電流および第二の所定電流を前記電解手段に供給する前記電解電力供給手段の制御量を予め設定記憶する機能を備えるとともに、前記制御手段は、前記電解予備洗浄時に前記第一の所定電流もしくは第二の所定電流を前記電解手段に供給する場合、予め設定記憶された制御量により前記電解電力供給手段を制御することを特徴とする便器洗浄装置。
【手続補正２】
【補正対象書類名】明細書
【補正対象項目名】０００５
【補正方法】変更
【補正の内容】
【０００５】
【課題を解決するための手段】  上記目的を達成するために第１の発明は、便器と、前記便器に便器洗浄水を供給する便器洗浄水給水路と、前記便器洗浄水給水路に配設され洗浄水を供給する洗浄水供給手段と、前記便器洗浄水給水路に配設され電気分解により殺菌性金属イオンの溶出を行う電解手段と、前記電解手段に供給する電力を制御する電解電力供給手段と、前記洗浄水供給手段と前記電解電力供給手段を制御する制御手段と、前記電解手段及び洗浄水供給手段を同時に駆動させる電解水洗浄動作とを備えた便器洗浄装置において、前記電解手段への印加電圧を測定する電圧測定手段とを備えるとともに、前記制御手段は前記電解電力供給手段へ予め定められた第一の所定電流を供給し前記電圧測定手段の検出電圧により洗浄水の電気伝導度を演算し、前記電気伝導度に基づいて洗浄水に適切な金属イオン濃度を供給できる目標電流を決定する場合、前記第一の所定電流は、前記目標電流の下限値より小さく設定して、電解洗浄動作することを特徴とする。
そのために、洗浄水の電気伝導度を測定する前に水質等は不明なので、それを測定する前記第一の所定電流は、前記目標電流の下限値より小さく設定しているので、十分な殺菌・防汚効果を得るとともに便器の黒ずみ等の発生を防ぐことが可能となる。
【手続補正３】
【補正対象書類名】明細書
【補正対象項目名】０００６
【補正方法】変更
【補正の内容】
【０００６】
第２の発明は、請求項１記載の便器洗浄装置において、前記制御手段は、前記第一の所定電流を供給し、前記電圧測定手段より検出された電圧が第一の所定電圧に対応する値より低い場合は、引き続いて前記第一の所定電流よりも大きく設定された第二の所定電流を供給して、前記目標電流を決定して、前記目標電流にて電解洗浄動作することを特徴とする。この結果、測定された電圧が小さく電気伝導度が正確に演算できない場合、供給する電流を大きくすることで測定電圧が大きくなり、より正確に電気伝導度を演算することができ、最適なイオン濃度の電解水を供給することができるため、十分な殺菌・防汚効果を得るとともに便器の黒ずみ等の発生を防ぐことが可能となる。
【手続補正４】
【補正対象書類名】明細書
【補正対象項目名】０００７
【補正方法】変更
【補正の内容】
【０００７】
第３の発明は、請求項２記載の便器洗浄装置において、前記制御手段は、前記第一の所定電流を供給し、前記電圧測定手段より検出された電圧が前記第二の所定電圧に対応する値より高い場合は、前記電解手段の開放異常と判断し、前記目標電流を前記電解電力供給手段より供給される電流値の下限値に設定することを特徴とする。その結果、一時的な断水等により電解手段に通水されなかった場合でも、断水状態が復帰すれば電解水による洗浄ができるため、殺菌・防汚効果を得ることが可能となる。
【手続補正５】
【補正対象書類名】明細書
【補正対象項目名】０００８
【補正方法】変更
【補正の内容】
【０００８】
第４の発明は、請求項２又は３記載の便器洗浄装置において、前記電圧測定手段は切替可能な複数の増幅係数を有するとともに、前記制御手段は、前記第二の所定電流を供給し、前記電圧測定手段より検出された電圧が、電気伝導度が中間の水の領域である所定電圧に対応する値より低い場合は、前記増幅係数を大きく設定し、洗浄水の電気伝導度を演算し前記目標電流を決定して、前記目標電流に設定して電解洗浄動作する。その結果、電流を大きくしてもなお検出電圧が低く電気伝導度の演算精度が十分でない場合に、流す電流をさらに大きくし電解水のイオン濃度をさらに高くすることなく検出電圧を大きくすることが可能であるため、より正確に電気伝導度を演算することができ、最適なイオン濃度の電解水を供給することができるため、十分な殺菌・防汚効果を得るとともに便器の黒ずみ等の発生を防ぐことが可能となる。
【手続補正６】
【補正対象書類名】明細書
【補正対象項目名】０００９
【補正方法】変更
【補正の内容】
【０００９】
第５の発明は、請求項４記載の便器洗浄装置において、前記制御手段は、前記電圧測定手段より検出された電圧が電気伝導度の大きな再処理水の領域である所定電圧に対応する値より低い場合は、前記電解手段の短絡異常として判断し、前記電解電力供給手段の駆動を停止させるとともに、前記電解水洗浄を中止することを特徴とする。その結果、電解手段の中に導電性の異物等が混入し短絡状態となった場合に、電解を継続することがないため、安全に停止することが可能となる。
【手続補正７】
【補正対象書類名】明細書
【補正対象項目名】００１０
【補正方法】変更
【補正の内容】
【００１０】
第６の発明は、請求項５記載の便器洗浄装置において、前記制御手段は、前記電解水洗浄の代わりに、前記洗浄水供給手段のみを駆動させる非電解水洗浄を行う機能を備えたことを特徴とする。その結果、電解手段の中に導電性の異物等が混入し短絡状態となった場合に、電解を継続することがないため、安全に停止することが可能となるとともに、便器内の汚れた水を非電解水により置換することができ、防汚効果の低下を最小限に防ぐことが可能となる。
【手続補正８】
【補正対象書類名】明細書
【補正対象項目名】００１１
【補正方法】変更
【補正の内容】
【００１１】
第７の発明は、請求項１乃至６のいづれか一つに記載の便器洗浄装置において、前記制御手段は、前記電気伝導度に基づいて求めた目標電流が、電気伝導度が高い水の場合に設定された上限値より大きい場合、前記目標電流値を前記上限値とすることを特徴とする。その結果、電解水が必要以上のイオン濃度となることがないため、便器の黒ずみ等の発生を防ぐことが可能となる。
【手続補正９】
【補正対象書類名】明細書
【補正対象項目名】００１２
【補正方法】変更
【補正の内容】
【００１２】
第８の発明は、請求項１乃至７のいづれか一つに記載の便器洗浄装置において、前記制御手段は、前記目標電流値と前記電流測定手段からの検出電流値との偏差が零となるように比例・積分補正演算または比例・積分・微分補正演算を行い、前記演算結果に従って前記電解電力供給手段を制御することを特徴とする。その結果、より正確な電流により電解することができ、最適なイオン濃度の電解水を供給することができるため、十分な殺菌・防汚効果を得るとともに便器の黒ずみ等の発生を防ぐことが可能となる。
【手続補正１０】
【補正対象書類名】明細書
【補正対象項目名】００１３
【補正方法】変更
【補正の内容】
【００１３】
第９の発明は、請求項３乃至８のいづれか一つに記載の便器洗浄装置において、前記制御手段は、異常を表示する表示手段を備えるとともに、前記電解手段の前記開放異常もしくは短絡異常を検出した場合、前記表示手段にその旨を表示することを特徴とする。その結果、電解手段の異常により防汚・殺菌効果が十分に得られない場合に、使用者に異常を知らせ電解手段の交換を促すことができ、防汚・殺菌効果の低下を最小限にすることが可能となる。
【手続補正１１】
【補正対象書類名】明細書
【補正対象項目名】００１４
【補正方法】変更
【補正の内容】
【００１４】
第１０の発明は、請求項１乃至９のいづれか一つに記載の便器洗浄装置において、前記制御手段は、前記電解水洗浄動作を行う直前に前記非電解水洗浄動作を行う電解予備洗浄機能を備え、前記制御手段は、前記電解予備洗浄動作中に前記電解水洗浄時に前記電解手段に供給する目標電流を決定することを特徴とする。その結果、電解水洗浄を行う前に目標電流を決める事ができるため、電解水洗浄の最初から最適な電流値により電解することが可能となる。
【手続補正１２】
【補正対象書類名】明細書
【補正対象項目名】００１５
【補正方法】変更
【補正の内容】
【００１５】
第１１の発明は、請求項１乃至１０のいづれか一つに記載の便器洗浄装置において、前記第一の所定電流および第二の所定電流を前記電解手段に供給する前記電解電力供給手段の制御量を予め設定記憶する機能を備えるとともに、前記制御手段は、前記電解予備洗浄時に前記第一の所定電流もしくは第二の所定電流を前記電解手段に供給する場合、予め設定記憶された制御量により前記電解電力供給手段を制御することを特徴とする。その結果、フィードバック制御を行わなくても、工場出荷時に高精度に調整された制御量を用い目標電流をより正確に求めることが可能となるとともに、フィードバック制御による遅れ時間もなく不必要に電解を継続することがないため、必要以上に電解水を供給することがなく便器の黒ずみ等の発生を防ぐことが可能となる。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】